(57)【要約】【課題】布、紙などを介してナット状部材とされるコネクタ取付具の外周を把持する必要がなく、ナットを傷つけることなくナット締付作業を極めて効率良く行うことのできる配管用コネクタ締付工具を提供する。【解決手段】配管用コネクタ締付工具１は、互いに平行な第１面３及び第２面４を備えた所定の直径及び厚さの円板状部材とされる絶縁性材料で作製された工具本体２を有し、工具本体２の第１面３及び第２面４の側にそれぞれ、所定深さの正八角形の第１凹所１１及び第２凹所２１が形成され、第１凹所１１及び第２凹所２２の底壁部１２、２２の中央部にそれぞれ、正六角形の第１軸状突起部１３及び第２軸状突起部２３が形成されている。【選択図】図１
2011183493.tif 000002
【特許請求の範囲】
【請求項１】
互いに平行な第１面及び第２面を備えた所定の直径及び厚さの円板状部材とされる絶縁性材料で作製された工具本体を有し、
前記工具本体の前記第１面及び第２面の側にそれぞれ、所定深さの正八角形の第１凹所及び第２凹所が形成され、前記第１凹所及び前記第２凹所の底壁部の中央部にそれぞれ、正六角形の第１軸状突起部及び第２軸状突起部が形成されていることを特徴とする配管用コネクタ締付工具。
【請求項２】
前記第１凹所と前記第２凹所は、異なる寸法の正八角形とされることを特徴とする請求項１に記載の配管用コネクタ締付工具。
【請求項３】
前記第１軸状突起部及び前記第２軸状突起部は、異なる寸法の正六角形とされることを特徴とする請求項１又は２に記載の配管用コネクタ締付工具。
【請求項４】
前記工具本体の外周面には、円周方向に沿って、前記第１面から第２面へと延在した複数の溝部が形成されることを特徴とする請求項１〜３のいずれかの項に記載の配管用コネクタ締付工具。
【請求項５】
前記工具本体の外周面には、円周方向に等間隔にて、前記工具本体の外周面から半径方向中心部に向かって所定の深さにて複数の穴が形成されることを特徴とする請求項１〜４のいずれかの項に記載の配管用コネクタ締付工具。
【発明の詳細な説明】
【技術分野】
【０００１】
本発明は、一般には、ナット状部材の締め付けを行うための締付工具に関する。特に、本発明は、電気機器収納箱（以下、単に「ボックス」という。）に配管用コネクタを取付ける際に使用される配管用コネクタの締め付け工具（以下、「配管用コネクタ締付工具」という。）に関するものである。
【背景技術】
【０００２】
図６に、従来使用されている電気機器を収納するボックス２００と、本例ではボックス２００の底壁２０１に取り付けられた配管用コネクタ２０２の一例を示す。
【０００３】
図４をも参照すると理解されるように、現在一般に使用されている配管用コネクタ２０２は、コネクタ本体２０３とコネクタ取付具２０４とにて構成される。コネクタ本体２０３は、円筒状部材とされ、一端部に雌ねじ２０５が形成されている。一方、コネクタ取付具２０４は、鍔付きの円筒状部材とされ、円筒状部の外周に雄ねじ２０６が形成され、鍔部２０７は、八角形状のナット部材とされる。
【０００４】
コネクタ本体２０３は、本例ではボックス２００の所定の取付穴２０１Ａが形成された底壁２０１に、コネクタ本体２０３の一端側に形成した雌ねじ２０５を利用して、コネクタ取付具２０４の雄ねじ２０６を螺合させることにより取付けられる。コネクタ本体２０３の、ボックス２０１に取り付けられた側とは反対側の端部には、配管２０８がフィッティング２０９にて固定される。
【０００５】
従来においては、ナット状部材であるコネクタ取付具２０４は、図７に示すように、プライヤＰを用いて、コネクタ取付具鍔部２０７の外周を把持し、締め付けが行われる。この時、コネクタ取付具鍔部２０７に傷が付かないように、更には、絶縁を保つために、コネクタ取付具鍔部２０７は、布、紙Ｗなどをナット外周にあてがってプライアＰにて把持されていた。
【０００６】
しかしながら、布、紙Ｗなどを介してプライヤＰでコネクタ取付具鍔部２０７を把持し、コネクタ取付具２０４の取付作業を行うのは、作業が煩雑であるばかりでなく、締付力が不安定で、所定の力での締め付けが行われない恐れもある。また、プライヤＰを用いてのコネクタ取付具２０４の取付作業は、ボックス内などの狭い空間では困難であった。
【０００７】
なお、本特許出願人は、出願時点において、上記従来の問題を解決するための本発明に関連した工具等を開示する先行技術文献を見つけることができなかった。従って、先行技術文献情報を開示していない。
【発明の概要】
【発明が解決しようとする課題】
【０００８】
そこで、本発明の目的は、布、紙などを介してナット状部材とされるコネクタ取付具の外周を把持する必要がなく、コネクタ取付具を傷つけることなく配管用コネクタの取付作業を極めて効率良く行うことのできる配管用コネクタ締付工具を提供することである。
【０００９】
本発明の他の目的は、ボックス等の狭い空間での配管用コネクタの取付作業を容易に行うことのできる配管用コネクタ締付工具を提供することである。
【課題を解決するための手段】
【００１０】
上記目的は本発明に係る配管用コネクタ締付工具にて達成される。要約すれば、本発明は、互いに平行な第１面及び第２面を備えた所定の直径及び厚さの円板状部材とされる絶縁材料で作製された工具本体を有し、
前記工具本体の前記第１面及び第２面の側にそれぞれ、所定深さの正八角形の第１凹所及び第２凹所が形成され、前記第１凹所及び前記第２凹所の底壁部の中央部にそれぞれ、正六角形の第１軸状突起部及び第２軸状突起部が形成されていることを特徴とする配管用コネクタ締付工具である。
【００１１】
本発明の一実施態様によると、前記第１凹所と前記第２凹所は、異なる寸法の正八角形とされる。
【００１２】
本発明の他の実施態様によると、前記第１軸状突起部及び前記第２軸状突起部は、異なる寸法の正六角形とされる。
【００１３】
本発明の他の実施態様によると、前記工具本体の外周面には、円周方向に沿って、前記第１面から第２面へと延在した複数の溝部が形成される。
【００１４】
本発明の他の実施態様によると、前記工具本体の外周面には、円周方向に等間隔にて、前記工具本体の外周面から半径方向中心部に向かって所定の深さにて複数の穴が形成される。
【発明の効果】
【００１５】
本発明によれば、布、紙などを介してナット状部材であるコネクタ取付具の外周を把持する必要がなく、また、傷つけることもなく配管用コネクタの取付作業を極めて効率良く行うことができる。また、ボックス等の狭い空間での配管用コネクタの取付作業を容易に行うことができる。
【図面の簡単な説明】
【００１６】
【図１】図１（ａ）は、本発明に係る配管用コネクタ締付工具の一実施例にて工具本体の第１面方向から見た斜視図であり、図１（ｂ）は第１面側から見た平面図である。
【図２】図２（ａ）は、本発明に係る配管用コネクタ締付工具の一実施例にて工具本体の第２面方向から見た斜視図であり、図２（ｂ）は第２面側から見た平面図である。
【図３】三つのサイズＳ、Ｍ、Ｌとされる本発明に係る配管用コネクタ締付工具セットの一実施例を示す図であり、図３（Ａ−１）、（Ｂ−１）、（Ｃ−１）は斜視図であり、図３（Ａ−２）、（Ｂ−２）、（Ｃ−２）は工具本体の第１面側から見た平面図であり、図３（Ａ−３）、（Ｂ−３）、（Ｃ−３）は工具本体の第２面側から見た平面図である。
【図４】本発明の配管用コネクタ締付工具の使用方法を説明する断面図である。
【図５】本発明の配管用コネクタ締付工具の使用方法を説明する斜視図である。
【図６】ボックス及び配管用コネクタを説明する図である。
【図７】従来の配管用コネクタ取付作業を説明する図である。
【発明を実施するための形態】
【００１７】
以下、本発明に係る配管用コネクタ締付工具を図面に則して更に詳しく説明する。
【００１８】
実施例１
本発明に係る配管用コネクタ締付工具は、図６に示したように、電気機器を収納するボックス２００に配管用コネクタ２０２を取り付けるために、コネクタ本体２０３にコネクタ取付具２０４を締め付けるための締付工具である。
【００１９】
図１、図２及び図４に、本発明に係る配管用コネクタ締付工具１の一実施例を示す。図１（ａ）は、本実施例の配管用コネクタ締付工具１の第１面（図１にて上面）３方向から見た斜視図であり、図１（ｂ）は第１面３側から見た平面図である。図２（ａ）は、本実施例の配管用コネクタ締付工具１の第２面（図１、図２にて下面）４方向から見た斜視図であり、図２（ｂ）は第２面４側から見た平面図である。図４は、本実施例の配管用コネクタ締付工具の断面を示す。
【００２０】
本実施例にて、配管用コネクタ締付工具１は、全体形状は、所定の直径（Ｄ）、所定の厚さ（Ｔ）とされ、互いに平行な第１面３及び第２面４を備えた厚肉の円板状部材とされる工具本体２を有している。通常、工具本体２の直径（Ｄ）は６５〜１００ｍｍ、厚さ（Ｔ）は２５〜３０ｍｍとされる。また、工具本体２の第１面３及び第２面４の外周端縁部（角部）には、作業時に工具本体１がボックス２００或いはボックス内の電気部品等に干渉して作業性を悪化するのを防止するために、２〜８ｍｍ程度の直線状にて大きく面取り５、６が施されている。湾曲状の面取りとし得ることは当然である。勿論、面取り５、６により、工具本体２の取り扱い性をも向上する。
【００２１】
配管用コネクタ締付工具１を形成する円板状の工具本体２は、図１及び図４に示すように、第１面３に第１の正八角形の凹所（第１凹所）１１が所定の深さ（Ｈ１）にて形成される。通常、深さ（Ｈ１）は、３〜８ｍｍとされる。また、第１凹所１１の底壁部１２の中央部に、正六角形の第１の軸状突起部１３が形成される。第１軸状突起部１３の高さ（ｈ１）は、第１凹所１１の深さ（Ｈ１）と同じとされる。ただし、これに限定されるものではなく、幾分低くても良く、場合によっては高くされる。
【００２２】
図２及び図４に示すように、円板状部材の第２面４にもまた、第１凹所１１の正八角形とは寸法が異なる、本実施例では、より大きくされた正八角形の凹所（第２凹所）２１が所定の深さ（Ｈ２）にて形成される。通常、第２凹所２１の深さ（Ｈ２）は、第１凹所１１の深さ（Ｈ１）と同じとされる。また、第２凹所２１の底壁部２２の中央部に、正六角形の第２の軸状突起部２３が形成される。第２軸状突起部２３の高さ（ｈ２）は、第２凹所２１の深さ（Ｈ２）と同じとされる。ただし、これに限定されるものではなく、幾分低くても良く、場合によっては高くされる。第２軸状突起部２３の正六角形の大きさは、第１軸状突起部１３の正六角形の形状と寸法を異ならせることもできるが、同じとしても良い。
【００２３】
上記正八角形の第１及び第２凹所１１、２１は、コネクタ取付具２０４の外周部、即ち、八角形状の鍔部２０７に係合し、コネクタ取付具２０４を回転させるものである。従って、第１及び第２凹所１１、２１の寸法は、コネクタ取付具２０４と適合して係合し得る寸法とされる。コネクタ取付具２０４は、複数種類の寸法にて形成されている。そのため、いずれの寸法のコネクタ取付具２０４にも適合し得るように、配管用コネクタ締付工具１は、凹所の寸法を変えたものが複数種類用意される。例えば、図３（Ａ）、（Ｂ）、（Ｃ）に示すように、３種類の寸法の異なる配管用コネクタ締付工具Ｓ、Ｍ、Ｌを用意すれば、現状での何れのコネクタ取付具２０４にも対応することができる。
【００２４】
本実施例にて、図３（Ａ）に示すＳサイズの工具は、工具本体２の外径Ｄが６５ｍｍ、厚さＴが２５ｍｍとされ、第１面３の凹所１１がナット寸法２２（呼称）に対応し、第２面４の凹所２１がナット寸法２８（呼称）に対応している。同様に、図３（Ｂ）に示すＭサイズの工具は、工具本体２の外径Ｄが７７ｍｍ、厚さＴが３０ｍｍとされ、第１面３の凹所１１がナット寸法２８（呼称）に対応し、第２面４の凹所２１がナット寸法３６（呼称）に対応しており、図３（Ｃ）に示すＬサイズの工具は、工具本体２の外径Ｄが１００ｍｍ、厚さＴが３０ｍｍとされ、第１面３の凹所１１がナット寸法４２（呼称）に対応し、第２面４の凹所２１がナット寸法５４（呼称）に対応している。通常、ナット寸法２８（呼称）のものが頻繁に使用されるので、本実施例では、配管用コネクタ締付工具Ｓ、Ｍにナット寸法２８（呼称）を形成し、配管用コネクタ締付工具Ｓ、Ｍのいずれをも使用可能としている。上記各サイズＳ、Ｍ、Ｌの工具における六角形の軸状突起部１３、２３の寸法は、各サイズＳ、Ｍ、Ｌの第１面３及び第２面４にてそれぞれ異なる寸法としても良く、或いは、各サイズＳ、Ｍ、Ｌごとに異なる寸法としても良く、或いは、全てのサイズＳ、Ｍ、Ｌにて同じとしても良い。
【００２５】
また、上記正六角形の軸状突起１３、２３は、通常使用されている、例えばトルクレンチのような六角形の凹所３０１を備えたナット回し工具３００に適合して係合する寸法とされる。従って、ナット回し工具３００を軸状突起１３（２３）に係合させ、所望回転方向に力を加えることにより、コネクタ取付具２０４に係合されている配管用コネクタ締付工具１を所定方向に回転させ、コネクタ取付具２０４の締め付け、或いは、取り外しを行うことができる。
【００２６】
なお、厚肉円板状の工具本体２の外周面には、図示するように、円周方向に沿って好ましくは等間隔にて、第１面３から第２面４へと延在して溝部３０が形成されるのが好ましい。
【００２７】
本実施例では、半径２〜５ｍｍ程度の半円形の凹状溝３０を、外周面に、１０〜１６個形成したが、これに限定されるものではない。例えば、溝部３０の形状は、半円形状ではなく、三角形状、その他の適当な形状としても良い。このように、工具本体２の外周面に凹状溝部３０を形成することにより、工具を使わず手で締付工具１を操作する時の操作性が向上する。
【００２８】
更に、円板状の工具本体２の外周面には、円周方向に等間隔にて例えば、５〜８箇所において外周面から半径方向に工具本体の中心部に向かって所定深さ（Ｑ）にて穴３１が形成される。本実施例では、穴３１は、工具本体厚さ（Ｔ）の中央部にて、且つ、溝部３０の位置に形成したが、これに限定されるものではなく、溝部３０以外の外周部に形成しても良い。
【００２９】
この穴３１は、４〜８ｍｍ程度の穴径であって、外周面から５〜１０ｍｍ程度の深さ（Ｑ）とされる。この穴３１は、トルクレンチなどのナット回し工具３００を使用せずに、図４に示すように、回し棒４００の先端４０１を挿入し、配管用コネクタ締付工具１を回転するのに使用される。
【００３０】
上記構造とされる本発明に係る配管用コネクタ締付工具１は、電気機器関連の作業に使用されるので、絶縁材料にて作製されることが必要である。合成樹脂にて作製するのが好ましく、限定されるものではないが、例えばＡＢＳ樹脂にて作製するのが好適である。場合によっては、絶縁性の強化繊維、例えば、ガラス繊維等を使用した繊維強化樹脂（ＦＲＰ）にて作製することもできる。
【００３１】
次に、図４及び図５を参照して、本発明の配管用コネクタ締付工具１の使用方法について説明する。
【００３２】
本実施例では、電気機器を収納するボックス２００の底壁２０１に外部ケーブルを引き込むための配管用コネクタ２０２を取り付けるものとする。この場合は、先ず、図示するように、ボックス底壁２０１を貫通して取付穴２０１Ａを開け、この穴２０１Ａを貫通してコネクタ取付具２０４が装着され、コネクタ取付具２０４の雄ねじ２０６がコネクタ本体２０３の雌ねじ２０５に螺合される。
【００３３】
このとき、作業者は、先ず、手でもってコネクタ本体２０３の雌ねじ２０５に、ナット状部材であるコネクタ取付具２０４の雄ねじ２０６を適合し、コネクタ取付具２０４をコネクタ本体２０３に螺入する。次に、作業者は、コネクタ取付具２０４の八角形鍔部２０７のサイズに合った配管用コネクタ締付工具１を選択し、工具１の所定の凹所１１或いは凹所２１をコネクタ取付具２０４に適合して係合させる。その後、トルクレンチなどのナット回し工具３００を締付工具１の軸状突起部１３、２３に係合させ、所定方向に力を加えることにより、配管用コネクタ締付工具１を回転させ、コネクタ取付具２０４のコネクタ本体２０３に対する締め付けを行う。コネクタ取付具２０４を取り外す場合は、上記手順の逆を行う。
【００３４】
必要によっては、トルクレンチ３００の代わりに、回し棒４００の先端４０１を工具１の穴３１に挿入し、配管用コネクタ締付工具１を回転する。上述より理解されるように、当然のこととして、手締めも可能である。
【００３５】
このように、本発明の配管用コネクタ締付工具１は、従来のように、布、紙などを介してコネクタ取付具鍔部２０７の外周を把持する必要がなく、また、コネクタ取付具２０４を傷つけることなく、配管用コネクタ２０２の取付作業を極めて効率良く行うことができる。また、ボックス２００等の狭い空間でのコネクタ取付具締付作業を容易に行うことができる。
【産業上の利用可能性】
【００３６】
本発明の配管用コネクタ締付工具は、種々のサイズを準備することにより、一般のナットの締め付けを行うためのナット締付工具としても使用することができる。
【符号の説明】
【００３７】
１      配管用コネクタ締付工具
２      工具本体
３      第１面
４      第２面
１１    第１凹所
１２    底壁
１３    第１の軸状突起部
２１    第２凹所
２２    底壁
２３    第２の軸状突起部
３０    溝部
３１    穴
【図１】
2011183493.tif 000003
【図２】
2011183493.tif 000004
【図３】
2011183493.tif 000005
【図４】
2011183493.tif 000006
【図５】
2011183493.tif 000007
【図６】
2011183493.tif 000008
【図７】
2011183493.tif 000009